(57)【要約】【課題】座前部のハンドルとの連結部分を中心としたあらゆる方向へのハンドル操作で解錠可能なラッチ錠の操作ハンドルを得ると共に、ハンドルの回転操作用とプッシュプル用との両方のラッチ錠に対応可能とする。【解決手段】筒状部分を有した座と、Ｖ字溝を有したスライド部材と、角板状の爪部分と球部分を有した球体部材を設け、スライド部材を前後方向にのみ直線移動可能なように筒状部分内に挿入する。半球状のへこみ部分を有した球部保持部材で球部分をあらゆる方向に回動自在な状態で抱き込み両者を座の先端位置に装着し、さらに球体部材にハンドルを取り付ける。爪部分の先端をＶ字溝の最深部に嵌るように配置することにより、ハンドルのあらゆる方向への操作により爪部分がＶ字溝の側面を押す動作を得、スライド部材を奥方向に押し込む。この動作をラッチを引いたり回転させる動作に変換してラッチ錠を施解錠する。【選択図】　　　　図１
2004100277.tif 000002
【特許請求の範囲】
【請求項１】
扉と枠体からなるドアの扉の先端位置に装着され、ラッチがハンドル操作により没し、解錠するようになっているラッチ錠の操作ハンドルであって、筒状部分を有した座と、ハンドルと、角板状の爪部分と球部分を有した球体部材と、半球状のへこみ部分を有した球部保持部材と、Ｖ字溝を有したスライド部材を設け、球部保持部材と球体部材とスライド部材を座の筒状部分内に挿入して組付け、球体部材とハンドルを連結して構成したことを特徴とするラッチ錠の操作ハンドル。
【請求項２】
前記球体部材の球部分を球部保持部材のへこみ部分で抱き込んだ状態で両者を座の筒状部分手前側に配置し、球体部材は球部分を中心としてあらゆる方向に一定角度範囲内で回動可能なように構成し、前記スライド部材は前後方向にのみ直線移動可能なように規制して座の筒状部分奥側に配置し、爪部分先端がＶ字溝の最深部に嵌った基準位置からのあらゆる方向へのハンドル操作により、スライド部材の前後方向への直線運動を得ることを特徴とする請求項１に記載のラッチ錠の操作ハンドル。
【請求項３】
前記スライド部材のＶ字溝とは反対側に、先端に傾斜面を有した係合板を設け、ハンドル操作により前記傾斜面の前後方向の直線動作を得、前記係合板の傾斜面とラッチを直接係合させることにより、ラッチを横方向に引いて解錠する構成のラッチ錠を施解錠可能とすることを特徴とする請求項１又は２に記載のラッチ錠の操作ハンドル。
【請求項４】
前記スライド部材のＶ字溝とは反対側を傾斜長孔を有した円筒部分にて形成し、さらに角芯を有した回転部材を設け、前記円筒部分に回転部材を挿入し、頭部が傾斜長孔内に配置されるように回転部材にピンを差し込んで回転部材とスライド部材を連結し、ハンドル操作によるスライド部材の前後方向の直線動作を角芯の回転動作に変換させることにより、ラッチの角孔に角芯を係合して回転させて解錠する構成のラッチ錠を施解錠可能とすることを特徴とする請求項１又は２に記載のラッチ錠の操作ハンドル。
【発明の詳細な説明】
【０００１】
【発明の属する技術分野】
本発明は扉に取り付けられるラッチ錠の操作ハンドルに関するものである。
【０００２】
【従来の技術】
一般に扉３４に取り付けられるラッチ錠の操作ハンドルは、従来からレバーハンドル錠と呼ばれ、ハンドル３３が棒状で握って回転させる図１８に示すようなものが知られている。上記の構成としては扉３４を挟み込むように部屋外と部屋内に装着した、ハンドル３３と、台座と、角芯２９とからなる操作部分と、扉３４の厚み部分に掘り込んで配置したラッチ錠３２からなり、ハンドル３３に固定された角芯２９をラッチ錠３２に設けてある角孔に係合させることによりラッチ錠３２とハンドル３３を連動させ、ハンドル３３を扉面と平行に回転させることにより角芯２９が回転し、枠体の戸先面に面対して設けたラッチ受けに対してラッチ先端部を出没させて施解錠する方式のものであり、このとき通常ではハンドル３３は下方に回転させて操作するのが一般的である。
【０００３】
また最近ではハンドルを扉面に対して垂直方向に押し引きする操作により施解錠するプッシュプル方式のものもあり、操作ハンドルの扉面に対する押し引きの動作を、操作ハンドル内部で常にラッチを吊元側方向に横に引っ張る動作に変換してラッチを直接引っ掛けて移動させる方式で、角芯は使用せずにプッシュプル専用のラッチ錠を必要とするものが多い。
【０００４】
ところがハンドル３３の回転により施解錠するレバーハンドル錠は、扉３４を押して開く側、引いて開く側の、どちら側からの開閉においても一旦ハンドル３３を下方に一定角度回転させた状態で保持し、そのまま扉３４を押し引きする必要があり、力の弱い障害者や高齢者等においては操作性において満足ではないことが挙げられる。またハンドルを押し引きする操作にて施解錠するプッシュプル方式も専用のラッチ錠を必要とするだけでなく、現在使用されている大部分のラッチ錠がハンドルの回転により解錠する方式のものであるために、ハンドルは当然回すものと思い込んでおり、プッシュプルの操作であることが分かりにくい時についハンドルを回してしまい解錠できずにあわててしまう場合があり、ハンドル前面に大きく押し引きの操作であることの表示が必要になる等の問題点が残っている。
【０００５】
そこで回転操作であるレバーハンドル錠と押し引きの操作であるプッシュプル錠の両方の機能を兼ね備えた構成を本出願人は特願２００１−０１３９６８と特願２００１−１２２４８４に報告した。前者はハンドル全体を扉面に対して垂直にスライドさせて押し引きする動作と、扉面と平行な面で基準位置から下方向に回転させる動作と、前記の押し引きの動作と回転させる動作を混在させた動作によりラッチ錠を解錠させる機構を有しているのが特徴であり、後者は座とハンドルの連結位置で首折れした状態でハンドルを扉面と垂直に押し引きする動作と、扉面と平行な面で回転させる動作とを同じ基準位置から可能とし、いずれかの操作を使用時に任意に選択することによりラッチ錠の施解錠が可能な構成になっている。
【０００６】
【発明が解決しようとする課題】
しかしながら前者は押し引きの動作がハンドル全体を扉面に対して垂直にスライドさせる構成であり、従来のプッシュプル錠のように座とハンドルの連結位置で首折れさせることができない。したがってハンドルが円筒錠の握り玉のような形状で、座の中心を延長した線上を押し引きする動作が最も操作性がよいことになり、ハンドルが長くなるにつれて押し引きの力のかかる方向が斜めになり、こじるような動作になってしまい操作条件は悪くなることが問題として挙げられる。また押し引きしながら回転させる場合には上方向に回転させてしまうと両方の動作が互いに相殺されてしまうため回転の方向を下方向に限定する必要があり、左右勝手において施工時に座からハンドルを抜き差しして勝手を入れ替える手間が要ることも改良点に挙げられる。
【０００７】
後者はハンドルと座の連結部分で首折れして押し引きする構成であり、ハンドルの長さは操作性に影響を与えない。しかし基準位置から回転操作を始めるとその初期の段階で押し引きの動作を規制し、逆に押し引きの操作を始めるとその初期の段階で同様に回転の操作を規制する構成になっており、つまり回転操作か押し引きの操作のどちらかに選択して施解錠を実施しなければならなく、押し引きしながら回転させる、又は回転させながら押し引きするといった両方の動作を混在させるような動作は実施できない。
【０００８】
また両者共に使用可能なラッチ錠は、ラッチ部分に角孔を有しており角芯をその角孔に差し込んで回転させることにより施解錠可能とした構成のラッチ錠に限定されており、ラッチを直接横方向に引っ張って解錠するプッシュプル用のラッチ錠には適応できなく、汎用性の面で狭いと言う点も挙げられる。
【０００９】
ここで最も効果的なハンドル操作を想定すると、長めのハンドルに体重をかけながら押し回す動作が高齢者や幼児や障害者などの力の弱い人にとっては最も楽にできる操作であると考えられる。そこで本発明は上記のような問題をさらに解決するためになされたものであり、ハンドルが首折れする状態での押し引きの操作とハンドルを回転させる操作と両方の動作を混在させた押し引きしながら回転させる操作とを可能とし、さらに左右勝手を完全に無くし、かつ回転用のラッチ錠とプッシュプル用のラッチ錠の両方に対応可能な新しい構成のラッチ錠の操作ハンドルを提供することを目的とする。
【００１０】
【課題を解決するための手段】
本発明では上記目的を達成するために次のような技術手段を講じた。まず内部が中空な筒状部分と扉面に装着するためのフランジ部分を有した座を設ける。さらに座の内部でがたつき無く移動できる形状のスライド部材を設け、該スライド部材の片側にＶ字溝を形成する。このとき座の筒状部分内壁の前後方向に案内溝を、スライド部材の外周面に案内突起を設けて互いに嵌り合うように構成しておく。さらにＶ字溝が手前側に配置されるように座にスライド部材を挿入して組付ける。したがってスライド部材は座の筒状部分内で前後方向にのみ規制されて直線移動可能となる。
【００１１】
次に中央位置に球部分を有し、該球部分の前後に角板状の爪部分と取り付け軸部を配置した球体部材を設ける。また二ヵ所の半球状のへこみ部分を有した球部保持部材を設け、二ヵ所のへこみ部で両側から球体部材の球部分を抱き込み、爪部分が奥側に、取り付け軸部が手前側になるように球体部材と球部保持部材を座の筒状部分前部に配置し、球部保持部材を座に固定する。したがって球体部材は球部分を中心に一定角度範囲内であらゆる方向に回動自在な状態で保持されることになり、ハンドルを取り付け軸部に連結することにより、ハンドル操作により球体部材を動作させることが可能になる。
【００１２】
さらに爪部分の先端が縦向でスライド部材のＶ字溝の最深部に嵌るように両者を配置し、座の筒状部分奥面とスライド部材間に押しばねを設けてスライド部材を常に手前側に付勢した状態にして全体を構成する。この状態が基準位置であり、このときハンドル位置は扉面に対して水平かつ平行である。
【００１３】
次に上記基準位置からハンドルをプッシュプル錠のように扉面に対して前後方向に押し引きして操作すると、座に対してハンドルは首折れした状態になり、球体部材の爪部分は球部分を中心とした左右方向へのスイング動作になり、爪部分の先端縦方向のコーナー辺がＶ字溝の側面を横方向に押すことになる。ここでＶ字溝は奥側から手前に一定の角度を有して広がっており、スライド部材は前後方向のみに移動を規制されている。したがって爪部分を左右にスイング移動させることによりスライド部材を奥方向に押込む動作が得られることになる。ハンドルの押す動作と引く動作においては、スイング動作の方向が逆になるだけであり、Ｖ字溝は左右対称形であるために、結果としては全く同じであるスライド部材を奥方向に押し込む動作になる。
【００１４】
今度は基準位置からレバーハンドル錠のように扉面と平行な面上でハンドルを下方向に回転させて操作すると、球体部材は座の中心線上での回転動作になり、つまり角板状の爪部分の先端がＶ字溝内で回転することになる。Ｖ字溝の最深部の幅と角形状の爪部分の先端の幅はほぼ同じに設定してあるため、Ｖ字溝内で爪部分が回転することにより爪部分の先端面の対角線上のコーナー部分がＶ字溝の両側面を同時に押す動作が得られる。このとき前述と同様にスライド部材は前後方向のみに動きを規制されているため、結果としてやはりスライド部材を押し込む動作になり、スライド部材を奥方向に直線移動させることになる。上記の動作はハンドルの回転方向にはかかわらず、逆にハンドルを上方向に回転させてももう片方の対角線上のコーナー部分がＶ字溝の両側面を押すことになり、同様にスライド部材を奥方向に押し込むことが可能になる。
【００１５】
また球体部材は一定角度範囲内であらゆる方向に動作可能に設定されており、ここでハンドルを押し引きしながら回転させる動作を実施したとすると、最初は前述の爪部分のスイング動作によりスライド部材をある程度押し込み、途中からは爪部分先端の対角線上のコーナー部分の回転動作によりさらにスライド部材を押し込む動作が得られることになる。逆に先に回転操作を実施してから押し引きの操作を実施しても同様であり、最初から完全に斜め下方にハンドルを押し回すような操作においてもスライド部材を奥方向に押込むことができることになる。したがって上記二種の動作をあらゆる比率で不規則に混在させた操作によっても同様にスライド部材を押し込むことが可能になる。
【００１６】
以上に一定角度範囲内でのあらゆる方向へのハンドル操作で、スライド部材を奥方向に直線移動させる動作を説明してきたが、次にこの動作を利用することによりラッチ錠を施解錠する手段を説明する。従来のプッシュプル錠によく使用されるタイプで、バックセット位置のラッチの窓部分を引っ掛けて直接横方向に引いてラッチを没する構成のラッチ錠においては、スライド部材の前後移動動作をそのまま利用することが可能である。
【００１７】
つまりスライド部材のＶ字溝とは反対側に先端に傾斜面を有した係合板を装着し、傾斜面を戸尻側向きになるように配置しておくとよい。ラッチ錠のバックセット位置には窓部分が設けられており、さらに係合板の傾斜面が係合するための係合面を窓部分端部に形成し、基準位置状態で傾斜面先端がラッチの係合面に当接するように配置する。するとハンドル操作によりスライド部材と係合板が奥方向に押し込まれ、係合板の傾斜面がラッチの係合面を押してラッチ自体を戸尻側に移動させることになり、ラッチを没することが可能になる。したがってプッシュプル錠用のラッチ錠の場合はスライド部材奥側に係合板を取り付けるだけの極簡単な構成にて施解錠が実施できることになる。
【００１８】
また従来のレバーハンドル錠に最も頻繁に使用されているタイプである、ラッチの角孔に角芯を挿入して回転させることによりラッチが没する構成のラッチ錠においては、スライド部材の直線移動動作を回転動作に変換する必要が生じる。この場合はスライド部材のＶ字溝の反対側を円筒部分として形成し、円筒部分の外周面に傾斜長孔を設けておく。さらに円筒部分内部にがたつき無く挿入できる円柱形状の回転部材を設け、回転部材にラッチ錠の角孔に係合する角芯を固定しておく。次に回転部材を円筒部分に挿入し、頭部が傾斜長孔内に突出して配置されるように回転部材にピンを差し込んで両者を連結する。また回転部材は座の奥面に回転のみ可能な状態で装着しておく。
【００１９】
上記の構成からハンドル操作を実施すると、スライド部材の円筒部分に設けられた傾斜長孔が奥方向に移動する。すると傾斜長孔の側面にピンの頭部があたり、ピンは傾斜に沿って移動しようとする。このときピンは回転部材に差し込まれており回転部材は座に回転自在に装着されているために、回転部材および角芯の回転動作が得られることになる。つまりスライド部材の直線移動動作を角芯の回転動作に変換できることになり、この傾斜長孔の傾斜の方向と開き角度をラッチ錠の角孔の回転方向と最大回転角度に合わせておくことにより回転タイプのラッチ錠にも対応させることができることになる。
【００２０】
上記のように本発明の構成はあらゆる方向へのハンドル操作を一旦スライド部材の前後方向の直線動作に統一することが特徴であり、したがってプッシュプル錠のように押す側と引く側を区別する必要が無く、即ち部屋内側部屋外側が兼用でき、左右勝手にも完全に対応可能になる。
【００２１】
【発明の実施の形態】
以下、図１〜図９に基づいて本発明のラッチ錠の操作ハンドルの第一実施形態を説明する。図１は第一実施形態の分解斜視図であり、スライド部材５と球体部材１３と球部保持部材１９を座１の内部に組み込んで、球体部材１３とハンドル３３を連結した状態で全体を構成する。次に座１とスライド部材５と球体部材１３と球部保持部材１９の形状と互いの配置構成を順に説明する。
【００２２】
図１に示すように座１は、内部が中空で扉面に垂直な筒状部分２と扉面に装着するためのねじ孔やねじ柱を有したフランジ部分３からなり、筒状部分２の内壁の前後方向に案内溝４を設けておく。図２はスライド部材５の上面図であり、図３はスライド部材５の正面図である。該スライド部材５は中央部分が円柱状で両側面前後方向に案内突起７を有しており、手前側には円柱を上方向からＶ字にカットしたようなＶ字溝６を、奥側にはラッチの窓部分３１と係合する係合板１０を備えており、さらに係合板１０の先端には傾斜面１１を設けておく。
【００２３】
次にスライド部材５の案内突起７を案内溝４に嵌めた状態でスライド部材５を座１の筒状部分２内に挿入し、前後方向のみに規制されて移動できる状態で組付ける。スライド部材５の外形を円柱状としているのは、実施形態として座１の筒状部分２を円筒状で形成したためであり、その内部に挿入してがたつきなく移動可能であるならば座１の筒状部分２の形状は円筒状に限らずどのような形状であっても良く、スライド部材５も座１の内部で移動可能であればどのような形状であっても良い。
【００２４】
またスライド部材５の向きは傾斜面１１を有した係合板１０が奥側でＶ字溝６が手前側になるようにし、さらにＶ字溝６が上面視でＶ字になるように配置する。さらに押しばね１２をスライド部材５の奥面にある程度掘り込んだ状態で座１の奥面との間に係合板１０に巻きつけるようにして装着する。したがって押しばね１２によりスライド部材５は常に座１に対して手前側に付勢されることになる。
【００２５】
図４は球体部材１３の上面図であり、図５は球体部材１３を奥側から見た正面図である。球体部材１３は中央位置に球部分１４を有し、その両側に角板状の爪部分１５と、ハンドル３３を連結するための取り付け軸部１８を備えておく。また図１に示すように二ヵ所の半球状のへこみ部分２０と前面に位置する前部円形孔２１を有した球部保持部材１９を設け、へこみ部分２０で球体部材１３の球部分１４を抱き込み、取り付け軸部１８が前部円形孔２１から突出した状態で、角板状の爪部分１５が奥側に、取り付け軸部１８が手前側になる配置で両者を座１の筒状部分２の最前部に装着する。
【００２６】
球体部材１３の球部分１４は球部保持部材１９の二ヵ所のへこみ部分２０に抱き込まれて保持されており、したがって球体部材１３は球部分１４を中心としてあらゆる方向へ回転可能な状態になっている。また球部保持部材１９の前部円形孔２１の径を球体部材１３の取り付け軸部１８の径よりも一定寸法のみ大きく設定しておくと、球体部材１３の回転動作を取り付け軸部１８が前部円形孔２１の内面に当接するまでの一定角度範囲内に制限することが可能になる。さらにハンドル３３に取り付け軸部１８を差し込んで固定するための凹部２３を設けておき、ハンドル３３と球体部材１３の取り付け軸部１８をハンドル取り付けねじ２２で連結することにより、ハンドル３３の操作により球体部材１３を動作させることができることになる。
【００２７】
図６は第一実施形態でのラッチ錠の操作ハンドルを扉３４の部屋内外の両側に装着し、ラッチ錠３２を扉３４に掘り込んで取り付けた状態のハンドル３３を操作する前の基準位置を示す断面図である。図６に示すラッチ錠３２は、ラッチのバックセットの位置に窓部分３１が設けてあり、ラッチの窓部分３１端面に操作ハンドルと連動した係合体を直接係合させて戸尻側横方向に引いて移動させることによりラッチが没して解錠する従来のプッシュプル錠に使用されているタイプに類似した構成を示している。基準位置ではハンドル３３は扉３４面に平行かつ水平に位置しており、スライド部材５は押しばね１２に付勢されて最も扉面から離れた手前側に位置し、球体部材１３の角板状の爪部分１５の先端は縦向でスライド部材５のＶ字溝６の最深部８に接触した状態になっている。また係合板１０の傾斜面１１は戸尻向きに配置され、先端が僅かにラッチの窓部分３１の戸尻側端面と係合した状態になっている。
【００２８】
次に本発明で最も重要とされる、基準位置からのハンドル操作による球体部材１３の爪部分１５の動作によるスライド部材５及び係合板１０の奥方向への移動の機構を図７にて説明する。図７は座１の筒状部分２内部のスライド部材５と球体部材１３からなる機構部分のみを模式図として示している。図７（ａ）は基準位置であり、まずハンドル３３をレバーハンドル錠のように扉面と垂直な座１の中心線回りに回転操作すると、球体部材１３の角板状の爪部分１５も同様に中心線回りに回動しようとする。
【００２９】
しかし、基準位置では爪部分１５先端の幅とＶ字溝６の最深部８の幅はほぼ同じであり、したがって爪部分１５先端の対角線上の両コーナー部分１７が同時にＶ字溝６の両側面９を左右に押すことになる。ところがスライド部材５は座１の筒状部分２内部で前後方向のみに移動が規制されている。したがって両コーナー部分１７はＶ字溝６の手前方向に向かって広がっている側面９の傾斜に沿って滑りながら回転し、同時にスライド部材５を回転した爪部分１５が入ることができるＶ字溝６の手前側幅広の位置にまで押し込む動作になり、つまりスライド部材５は図７（ｂ）に示すように奥方向に直線移動することになる。
【００３０】
係合板１０はスライド部材５と共に移動するため、上記の動作により係合板１０の傾斜面１１がラッチ自体を戸尻側横方向に移動させてラッチを没することになり、したがってラッチ錠３２を解錠できることになる。またスライド部材５の奥方向への移動距離を係合板１０の傾斜面１１がラッチを解錠できる必要最小限の動作に設定しておき、その位置で座１の奥面とスライド部材５が当接して停止するようにしておくとハンドル操作も一定角度にて停止させることが可能になる。
【００３１】
次に基準位置からハンドル３３をプッシュプル錠のように扉面に対して前後に押し引きする操作を実施すると、ハンドル３３は座１に対して首折れし、球体部材１３は球部分１４を中心とした左右へのスイング動作になる。すると爪部分１５の先端縦方向のコーナー辺１６がＶ字溝６の側面９を横方向に押し込むことになり、Ｖ字溝６の傾斜により図７（ｃ）に示すようにスライド部材５は奥側に移動する。したがって同様に係合板１０の傾斜面１１をラッチに係合させることによりラッチ錠３２を解錠することができる。基準位置からのハンドル３３を押す動作と引く動作では爪部分１５のスイング動作が逆方向になるだけであり、もう一方の先端縦方向のコーナー辺１６がＶ字溝６のもう一方の側面９を押し、Ｖ字溝６は最深部８から左右対称に広がっているため、どちらにおいてもスライド部材５の同じ移動距離が得られることになる。またこのときのスライド部材５の移動距離を図７（ｂ）での回転操作での移動距離と合わせておくとよい。
【００３２】
次に本発明の最大の特徴であるハンドルを回転させながら押し引きする、又は押し引きしながら回転させるといった両方の動作を混在させた操作について説明する。先に回転操作を実施した場合には、爪部分１５先端の対角線上のコーナー部分１７がＶ字溝６の側面９に当接してある程度スライド部材５を押し込み、次の段階で押し引きの操作を実施するとＶ字溝６の側面９に当接しているどちらか片方の対角線上のコーナー部分１７がさらにＶ字溝６の側面９を押し、図７（ｄ）に示す位置までスライド部材５を移動させることができる。先に押し引きの操作を実施した場合でも同様であり、ある程度爪部分１５がスイング動作してスライド部材５を押込んだ状態で回転操作に変わると、爪部分１５の対角線上のコーナー部分１７のどちらか片方が引き続きさらにＶ字溝６の側面９を押し、同様に図７（ｄ）に示す状態にまでスライド部材５を移動させることができる。
【００３３】
図７（ｂ）〜（ｄ）のいずれにおいてもスライド部材５の移動量は、座１の筒状部分２の奥面にスライド部材５が当接して停止するまでの全て同じ距離になり、つまり図７（ａ）に示す基準位置からどのような方向にハンドル３３を操作しても、ハンドル３３は一定の角度範囲内で停止し、その停止した位置で一定のスライド部材５と係合板１０の移動距離が得られ、ラッチ錠を解錠することが可能となる。
【００３４】
図８は図７に座１とハンドル３３と球部保持部材１９を追記した組付け完了状態での断面図であり、図８（ａ）〜（ｄ）は図７（ａ）〜（ｄ）と同じ状態を示している。ハンドル３３を回転させる操作では図８（ｂ）の位置で停止し、押し引きの操作でも同様に図８（ｃ）の状態で停止して共に解錠することができる。押し引き操作の場合は図８（ｃ）の状態で球部保持部材１９の前部円形孔２１の内面に球体部材１３の取り付け軸部１８が当接するように設定しておくとよい。両者を混在させた操作においては回転操作と押し引き操作の配分は任意であり、最初から斜め下方向に押しまわすような操作であっても良い。図８（ｄ）は約半分づつの比率で両方の操作をした状態を示しており、ハンドル３３の比較的小さな動作で解錠できることも特徴に挙げられる。図９はハンドル操作の可能範囲を示す斜視図であり、基準位置から一定角度範囲内でのあらゆる方向へのハンドル操作によりラッチ錠３２を解錠することができることになる。
【００３５】
また上記の構成ではスライド部材５のＶ字溝６の開き角度が大きいほど回転操作及び押し引き操作はともに軽い力で可能となるが、その分スライド部材５の移動距離（ストローク）は小さくなる。また押しばね１２の力は軽いほうが操作面では楽であるが、基準位置状態でハンドル３３が自重により回転して垂れ下ることがないように、スライド部材５のＶ字溝６の最深部８を爪部分１５先端に押しばね１２の力により押し付けて保持しておくことが必要である。
【００３６】
また図６に示す基準位置から部屋内外のどちらか片方のハンドル３３を操作すると係合板１０が奥方向に移動するのであるが、部屋の逆側にも他方の操作ハンドルの係合板１０が位置しており、両係合板１０先端同士が衝突しないように構成しておかなければならない。したがって両係合板１０の位置をあらかじめ上下方向にずらしておき、移動した際に両者が重なるように配置しておくとよい。
【００３７】
さらにはＶ字溝６の側面９と爪部分１５先端の対角線上のコーナー部分１７が常に当接ヵ所になり、接点面積が小さいと共に荷重がかかった状態で滑りながら押す動作を繰り返すため、この当接ヵ所を摩擦係数の低い材質で構成しておく必要がある。したがって強度をそれほど必要としないスライド部材５はジュラコン等の樹脂成型品で形成し、強度を必要とする球体部材１３は金属製のダイカスト等で構成し、摩擦に強いクロムメッキ等の表面処理を施すとよい。また爪部分１５の先端のみに樹脂部品を装着してやるとさらに耐久性を高めることができると考えられる。同様に球部保持部材１９も球部分１４が回転するために摩擦係数の低い樹脂成型品か焼結合金（オイルレス）で構成するとよい。
【００３８】
第一実施形態においては、あらゆる方向へのハンドル操作を一旦スライド部材５の奥方向への直線移動動作に変換させるため、従来のプッシュプル錠のように押して開く側と引いて開く側の区別は必要ない。しかしラッチ錠３２に対する係合板１０の傾斜面１１の向きを常に戸尻側になるように配置しなければならないため、左右勝手においては扉面に対する水平面上で全体を１８０度回転させることにより部屋内外を逆にして対応すればよいことになる。
【００３９】
また第一実施形態でのあらゆる方向へのハンドル操作により係合板１０を前後方向に移動させる動作を利用すると、最近よく用いられてきている反転タイプのラッチ錠にも対応させることができる。つまり反転させるラッチ錠のラッチの根元部分を保持している部材を本発明の操作ハンドルの係合板１０の出没動作により解除できるように構成することにより可能と考えられる。
【００４０】
次に本発明のラッチ錠の操作ハンドルの第二実施形態を図１０〜図１７に基づいて説明する。第二実施形態は、従来のレバーハンドル錠のようにハンドル３３に装着した角芯２９をラッチ錠３２のラッチと連動する角孔部材３０に挿入し、角芯２９を回転させて施解錠する現在最も頻繁に使用されているタイプのラッチ錠３２に適合させるための構成である。図１０は第二実施形態の分解斜視図であり、座１とハンドル３３と球体部材１３と球部保持部材１９とスライド部材５のＶ字溝６は第一実施形態と形状及び構成ともにほとんど同様であり、異なる点はスライド部材５のＶ字溝６とは反対側の形状と別途角芯２９を備えた回転部材２６を設けたことである。
【００４１】
図１１はスライド部材５の上面図であり、図１２はスライド部材５を奥側から見た正面図である。スライド部材５は第一実施形態同様に円柱形状であり、Ｖ字溝６の反対側に円筒部分２４を設け、円筒部分２４の周上に傾斜長孔２５を備えておく。このとき図１１に示す傾斜長孔２５の両端の位置を、図１２に示すように円柱の中心からの開き角度がθ度となるように設定し、このθ度をラッチ錠３２の角孔部材３０の最大回転角度に合わせておく。図１３は角芯２９を備えた状態の回転部材２６の上面図であり、図１４は回転部材２６を奥側から見た正面図である。回転部材２６も円柱形状で手前側上面にピン挿入孔２８を設け、奥側の中心線位置に角芯２９を固定する角孔を備えておく。
【００４２】
次にスライド部材５の円筒部分２４内部に押しばね１２を入れ、ピン挿入孔２８が手前に位置する向きで回転部材２６を押しばね１２を縮めるようにして円筒部分２４内に挿入する。さらにスライド部材５の外側から傾斜長孔２５を通してピン２７を回転部材２６のピン挿入孔２８に差し込んでスライド部材５と回転部材２６を連結する。したがってスライド部材５と回転部材２６は押しばね１２により常に伸びようとする方向に付勢されることになる。またピン２７の頭部はスライド部材５の外周より外側には出ず、かつ傾斜長孔２５内には突出するようにしておく。さらに座１の筒状部分２内に、回転部材２６を組付けた状態のスライド部材５をＶ字溝６が手前になるような配置で案内溝４と案内突起７を嵌め合わせて挿入し、Ｖ字溝６の最深部８に爪部分１５の先端が当接した状態で組付ける。最後に回転部材２６を前後方向には移動不可で回転のみ可能なようにＥリング等で座１の奥部に装着しておく。
【００４３】
図１５は角芯２９を回転させて解錠するタイプのラッチ錠３２を扉３４に掘り込んで装着し、第二実施形態のラッチ錠の操作ハンドルを部屋内外から扉３４を挟み込んだ状態で取り付けた基準位置の断面図である。角芯２９は部屋内外のどちらか片方の回転部材２６にあらかじめ装着しておき、他方の回転部材２６には角孔を設けておき、ラッチ錠３２の角孔に角芯２９を差し込んで他方の回転部材２６の角孔に嵌め込んで両操作ハンドルを組付ける。
【００４４】
第二実施形態においても、スライド部材５のＶ字溝６と球体部材１３の爪部分１５の構成と、ハンドル操作により座１の筒状部分２内でスライド部材５が奥方向に直線移動する動作は同じである。次に基準位置からのハンドル操作によるスライド部材５の奥方向への移動を回転部材２６及び角芯２９の回転運動へと変換させる構成を図１６にて説明する。図１６は座１の筒状部分２内のスライド部材５と球体部材１３と角芯２９を有した回転部材２６からなる機構部分のみを模式図として示しており、図１６（ａ）は基準位置状態である。
【００４５】
まず基準位置からハンドル３３の回転操作を実施すると、第一実施形態と同様にスライド部材５が奥方向に直線移動する。するとスライド部材５の傾斜長孔２５の内側面がピン２７の外側面に当接しピン２７と共に回転部材２６を押すことになる。このとき回転部材２６は回転のみ可能に座１に装着されているためピン２７は傾斜長孔２５に沿って動き、即ち回転部材２６は図１６（ｂ）に示すように回転運動することになる。このときの回転角度は図１２に示すθ度であり、傾斜長孔２５の前後方向の距離Ｌをハンドル操作によるスライド部材５の移動距離に合わせておくとよい。またハンドル操作が押し引きの操作であったり回転と押し引きを混在させた操作であってもスライド部材５の移動動作は同じであり、図１６（ｃ）や図１６（ｄ）のように回転部材２６を同方向に回転させることができる。
【００４６】
第二実施形態ではスライド部材５の傾斜長孔２５の傾斜の向きが重要であり、図１５に示すように部屋内外に配置されたスライド部材５がハンドル操作により奥方向に移動した際に、共に角芯２９を同じ方向に回転運動させる、つまり従来のレバーハンドル錠の水平位置から下方向にハンドル３３を回転させるのと同じ回転方向にしなければならない。したがって図１５に示すようにスライド部材５はまだ押し込まれていない基準位置でピン２７は傾斜長孔２５の最も扉３４面側に位置するように構成し、傾斜長孔２５はハンドル３３を下方に回転させるのと同じ方向に傾斜させておくことが必要条件になり、つまり部屋内と部屋外においては傾斜長孔２５は扉面に対して対称な配置にしておくとよい。
【００４７】
またスライド部材５と回転部材２６の間に押しばね１２が挿入されており、常にスライド部材５を手前側に戻すように付勢されているために、ハンドル操作を終了させた段階で回転部材２６及び角芯２９を元に戻す方向に回転させながら基準位置に復帰させることになる。さらに基準位置でも押しばね１２はスライド部材５をまだ押しているように設定することにより、スライド部材５のＶ字溝６の最深部８が球体部材１３の爪部分１５を縦向きに保持した状態でハンドル３３の自重による垂れ下りを防止することができる。
【００４８】
図１７は図１６に座１とハンドル３３と球部保持部材１９を追記した組付け完了状態でのハンドル操作による動作を示した断面図であり、図１７（ａ）〜（ｄ）は図１６（ａ）〜（ｄ）と同じ状態を示している。図１７（ｂ）は回転操作で、図１７（ｃ）は押し引きの操作で、図１７（ｄ）は回転と押し引きを混在させた操作で共に角芯２９が回転して解錠した状態である。
【００４９】
上記のように、第二実施形態においてもあらゆる方向へのハンドル操作により角芯２９を回転させて解錠するタイプのラッチ錠３２を施解錠することが可能になる。また第二実施形態では前述のように部屋内側と部屋外側の傾斜長孔２５の向きがハンドル３３の回転操作方向と一致し、さらに配置が扉面に対して対称になることが条件になっており、したがって左右勝手を変更する場合はやはり第一実施形態と同様に、扉面に対して水平な面上で部屋内外を逆にするように１８０度全体を回転させて使用すればよいことになる。
【００５０】
【発明の効果】
本発明のラッチ錠の操作ハンドルは、基準位置からのあらゆる方向へのハンドル操作で常に解錠可能であるため操作性に優れており、ハンドル操作の表示等も必要なく、特にハンドルを押し引きしながら同時に回転させる操作は使用する人が自分の体重をかけた状態でそのまま扉を開閉できることになり、力の弱い子供や高齢者や障害者にとっては非常に楽な操作が実現できることになる。
【００５１】
また座の最前部位置であるハンドルとの連結部分で首折れする機構での押し引きのハンドル操作が可能になり、さらに長めのハンドルを使用することにより梃子の作用が利用でき、より軽い力で扉の開閉操作をすることが可能になる。
【００５２】
ハンドルのあらゆる方向への操作を一旦スライド部材の前後方向への移動に変換するため、扉を押して開く側か引いて開く側かの区別が必要なく、したがって取り付け現場での組換えの作業や施工時の取り付け方向の制限もなく、完全に左右勝手を兼用することが可能である。
【００５３】
また、ハンドル操作によるスライド部材の奥方向への移動動作をそのまま利用する第一実施形態の構成では、従来のラッチを直接横方向に引いて解錠するプッシュプル錠用のラッチ錠に適応させることができ、さらにスライド部材の奥方向への移動動作を座内部で回転方向に変換する第二実施形態の構成では角芯を回転させて解錠するラッチ錠に適応させることが可能である。
【図面の簡単な説明】
【図１】本発明に係る第一実施形態の分解斜視図である。
【図２】本発明に係る第一実施形態の、スライド部材の上面図である。
【図３】本発明に係る第一実施形態の、手前側から見たスライド部材の正面図である。
【図４】本発明に係る第一実施形態の、球体部材の上面図である。
【図５】本発明に係る第一実施形態の、奥側から見た球体部材の正面図である。
【図６】本発明に係る第一実施形態の、扉に装着した基準位置状態の断面図である。
【図７】本発明に係る第一実施形態の、スライド部材と球体部材の動作を示す模式図である。
【図８】本発明に係る第一実施形態の、組付けた状態からのハンドル操作による動作を示す断面図である。
【図９】本発明に係る第一実施形態の、ハンドルの操作範囲を示す斜視図である。
【図１０】本発明に係る第二実施形態の分解斜視図である。
【図１１】本発明に係る第二実施形態の、スライド部材の上面図である。
【図１２】本発明に係る第二実施形態の、奥側から見たスライド部材の正面図である。
【図１３】本発明に係る第二実施形態の、回転部材の上面図である。
【図１４】本発明に係る第二実施形態の、奥側から見た回転部材の正面図である。
【図１５】本発明に係る第二実施形態の、扉に装着した基準位置状態の断面図である。
【図１６】本発明に係る第二実施形態の、スライド部材と球体部材と回転部材の動作を示す模式図である。
【図１７】本発明に係る第二実施形態の、組付けた状態からのハンドル操作による動作を示す断面図である。
【図１８】従来の角芯を回転させて施解錠するレバーハンドル錠の斜視図である。
【符号の説明】
１　　　座
２　　　筒状部分
５　　　スライド部材
６　　　Ｖ字溝
８　　　最深部
１０　　係合板
１１　　傾斜面
１３　　球体部材
１４　　球部分
１５　　爪部分
１９　　球部保持部材
２０　　へこみ部分
２４　　円筒部分
２５　　傾斜長孔
２６　　回転部材
２７　　ピン
２９　　角芯
３２　　ラッチ錠
３３　　ハンドル
３４　　扉
【図１】
2004100277.tif 000003
【図２】
2004100277.tif 000004
【図３】
2004100277.tif 000005
【図４】
2004100277.tif 000006
【図５】
2004100277.tif 000007
【図６】
2004100277.tif 000008
【図７】
2004100277.tif 000009
【図８】
2004100277.tif 000010
【図９】
2004100277.tif 000011
【図１０】
2004100277.tif 000012
【図１１】
2004100277.tif 000013
【図１２】
2004100277.tif 000014
【図１３】
2004100277.tif 000015
【図１４】
2004100277.tif 000016
【図１５】
2004100277.tif 000017
【図１６】
2004100277.tif 000018
【図１７】
2004100277.tif 000019
【図１８】
2004100277.tif 000020